(57)【要約】      （修正有）【課題】支点部分の摩耗状況、接触状態の変化などにより生じ得る摩擦力を補償して針圧を発生できる表面形状測定用触針式段差計の摩擦力補正方法を提供する。【解決手段】支点に揺動可能に取り付けられた支持体の一端に探針を取付け、一端に隣接して探針の垂直方向変位を検出する変位センサの磁性体コアを取付け、支持体の他端には探針に針圧を加える針圧発生装置の磁性体コアを取付け、探針が捉えた試料の表面形状を支持体の支点回りの回転運動により変位センサで測定する触針式段差計の摩擦力補正方法において、    針圧発生装置を作動させて探針を下げる際の加速度を測定して下降時の力を求め、下降の後に探針が下部ストッパー等で跳ね返り上昇する際の加速度を測定して上昇時の力を求め、表面形状を実際に測定する際に、針圧発生装置に流す電流を、下降時の力と上昇時の力と和の半分の力が探針にかかるように制御する。【選択図】図１
2007051875.tif 000002
【特許請求の範囲】
【請求項１】
支点に揺動可能に取付けられた支持体の一端に探針を取付け、この一端に隣接して探針の垂直方向変位を検出する変位センサの磁性体コアを取付け、支持体の他端には探針に針圧を加える針圧発生装置の磁性体コアを取付け、探針が捉えた試料の表面形状を支持体の支点回りの回転運動により変位センサで測定する触針式段差計の摩擦力補正方法において、
針圧発生装置を作動させて探針を下げる際の加速度を測定して下降時の力を求め、探針が下部ストッパー等で跳ね返り上昇する際の加速度を測定して上昇時の力を求め、表面形状を実際に測定する際に、針圧発生装置に流す電流を、下降時の力と上昇時の力との和の半分の力が探針にかかるように制御することを特徴とする触針式段差計の摩擦力補正方法。
【請求項２】
測定して得た下降時の力と上昇時の力と和の半分の力を用いて、針圧発生装置のコイルに流す電流ｘと力ｙの関係式ｙ＝ａｘ２＋ｂｘ＋ｃ（ａ、ｂ、ｃは定数）を用いて設定した力に対応する針圧発生装置のコイルに流す電流ｘを算出することを特徴とする請求項１に記載の触針式段差計の摩擦力補正方法。
【請求項３】
支点に揺動可能に取付けられた支持体の一端に探針を取付け、この一端に隣接して探針の垂直方向変位を検出する変位センサの磁性体コアを取付け、支持体の他端には探針に針圧を加える針圧発生装置の磁性体コアを取付け、探針が捉えた試料の表面形状を支持体の支点回りの回転運動により変位センサで測定する触針式段差計の摩擦力補正方法において、
探針の下降時の速度を比較的速くして、探針を下げる際の加速度を測定して下降時の力を求め、探針が下部ストッパー等で跳ね返り上昇する際の加速度を測定して上昇時の力を求め、表面形状を実際に測定する際に、針圧発生装置に流す電流を、下降時の力と上昇時の力との差の半分の力を差し引いて、針圧発生装置に流す電流と探針にかかる力との正しい関係を求め、その関係から設定したい力に対応するコイル電流を算出することを特徴とする触針式段差計の摩擦力補正方法。
【発明の詳細な説明】
【技術分野】
【０００１】
本発明は、試料の表面形状を測定する触針式段差計の摩擦力補正方法に関するものである。
【０００２】
本明細書において、用語“試料の表面形状”は試料の段差、膜厚、表面粗さの概念を包含して意味するものとする。
【背景技術】
【０００３】
この種の段差計としては従来、先端が試料表面に接触する探針と、探針を試料表面に一定の負荷で接触させる針圧発生装置と、その負荷方向と直交する方向に振動して探針を試料表面に対して平行運動で往復動させる装置と、振動付加時の探針の試料に対する摩擦力に対応する振動の大きさを検出する検出装置とを備えた構造のものが知られている（特許文献１参照）。
【特許文献１】特開平３−８７６３７号
【０００４】
本発明者は、先に、特願２００５−１９９３３７において、表面形状測定用触針式段差計を提案した。この触針式段差計は、添付図面の図１〜図６に示すように、棒状の第１の支持部材１を有し、であり、この第１の支持部材１はその中間部位に左右両横方向にのびる支点用針取付け部材２を備え、支点用針取付け部材２の両端には二つの支点用針３が取付けられている。これら二つの支点用針３は二つの支点受け部材４（図６）で支持され、それにより第１の支持部材１は支点受け部材４に支点用針３を介して揺動自在に支持される。第１の支持部材１の一端には、変位センサ５の測定子すなわちコア６が取付けられている。この変位センサ５は探針の垂直方向変位に応じて電気信号を発生する差動トランスから成り、コイル７を備えている。
【０００５】
また、第１の支持部材１の他端には、探針に針圧を加える針圧発生装置８のコア９が設けられ、針圧発生装置８はコイル１０を備えている。コア９は、コイル１０の中心から軸方向にずれた位置に配置した高透磁率部材から成っている。
【０００６】
また、第１の支持部材１における支点用針取付け部材２の両端の二つの支点用針３を結ぶ線上を中心として、第１の支持部材１の下面には、二つの磁石１１を埋め込んだホルダー１２が取付けられている。ホルダー１２は図３に示すように断面台形の長手方向溝１３を備え、この長手方向溝１３の両側壁は下方へ向ってテーパー状に開いており、水平平面に対して傾斜面を構成している。ホルダー１２に埋め込まれた二つの磁石１１は、図１に示すように極性が互いに逆向きになるように配置されている。二つの磁石１１を内蔵したホルダー１２は軽くするためにカーボンで構成されている。
【０００７】
また図１、図２、図４及び図６において、１４は棒状の第２の支持部材でありその先端には探針１５が下向きに取付けられ、他端は高透磁率部材１６で構成されている。高透磁率部材１６の長手方向の両端には上向きにのびるガイド突起１７が形成され、これらガイド突起１７の対向側面は上方に向って開いた傾斜面として形成される。この高透磁率部材１６の傾斜面はホルダー１２における長手方向溝１３の両側壁の傾斜面と共に、第１の支持部材に第２の支持部材を取付ける際の互いの位置決めを確保すると共にガイドの役割を果たしている。第２の支持部材１４の他端における高透磁率部材１６は第１の支持部材１におけるホルダー１２の溝１３に嵌るようにされ、その際に第２の支持部材１４の他端における高透磁率部材１６はホルダー１２の溝の底面に接触し、二つの磁石１１には接触しないように構成されている。また溝と高透磁率材部品には図２に示したような傾斜面を設け、互いの位置決めの確保と取付け時のガイドの役割を果たしている。
【０００８】
また、第１の支持部材１及び第２支持部材１４は慣性モーメントを小さくするために軽いカーボンで構成されている。一方、密度が高く質量が大きい第２支持部材１４における高透磁率部材１６及び第１の支持部材１におけるホルダー１２内の磁石１１は、支点まわりの慣性モーメントを小さくするために、支点の近くに配置している。
【０００９】
さらに図３に示すように、第２支持部材１４における高透磁率部材１６の下側には板状部材１８が設けられ、この板状部材１８は磁場遮蔽効果を高めるため、高透磁率の材料で構成され、この板状部材１８により交換部品を第１の支持部材１におけるホルダー１２の溝１３に傾けて近づけても正しい位置に収まるようにしている。
【００１０】
上述のように第１の支持部材１におけるホルダー１２に埋め込まれた磁石１１は極性が逆になるように配置したことにより、磁気双極子が離れた場所に作る磁場が小さくなるので、差動トランス５、針圧発生装置８及び試料での磁場を小さくできる。また、この配置により磁石１１の下部では磁力線が第２の支持部材１４における高透磁率部材１６の中を通るので、その下方及び探針位置の試料での磁場が小さくなる。
【００１１】
図５には、支点用針３を受ける支点受け部材４の構造を拡大して示している。支点受け部材４は図示したように支点用針３を受ける凹面４ａを備え、この凹面は逆円錐形状に構成され、支点用針３を精度よく位置決めして受けるようにされている。
【００１２】
図６には図１に示す触針式表面形状測定器を枠体１９に組込んだ状態を示し、二つの支点受け部材４は枠体１９の下部枠部材１９ａに固定されている。支点上の可動部は枠体１９の中に収められ、枠体１９ｋ外側にはパネル（図示していない）が取付けられ、風による揺れや温度変化を防ぐようにしている。変位センサ５のコイル、支点受け部材４、針圧発生装置８のコイル１０は、この枠体１９内で枠体１９に対して固定されている。図６では見やすくするために変位センサ５のコイル及び針圧発生装置８のコイル１０は省略されている。これら２種のコイルは上方からそれぞれのコイルに被さり、枠体１０にねじ等で固定される。図６の枠体１９を含めた変位センサ５、針圧発生装置、及び支点上のその他の可動部から成る部分をセンサヘッドと呼ぶ。斜め上方からカメラで探針１５をモニターするために、探針１５は枠体１９から突き出す構造にし、探針１５を支える棒状体すなわち第２の支持部材１４に沿った形の細い風除けカバー（図示していない）が枠体１９の前部に取付けられる。第２の支持部材１４の先端付近の上下にはストッパー（図示していない）が設けられ、探針１５の動く範囲が制限される。
【００１３】
このように構成した図示触針式表面形状測定器においては、両端にそれぞれ変位センサ５及び針圧発生装置８を備え、二つの支点受け部材４に支点用針３を介して揺動自在に支持された第１の支持部材１のホルダー１２に、両端にそれぞれ探針１５及び高透磁率部材１６を備えた第２の支持部材１４を磁石の吸着力によって固定する。この場合、ホルダー１２における長手方向溝１３の両側壁の傾斜面と第２の支持部材１４の高透磁率部材１６におけるガイド突起１７の対向傾斜面とにより、第２の支持部材１４は第１の支持部材１のホルダー１２に対して予定の位置に正確に位置決めして簡単に固定できる。
【００１４】
そして、針圧発生装置８のコイル１０に所定の電流を流すことにより、その電流の大きさに応じて力が発生され、この力により針圧発生装置８のコア９はコイル１０の中心へ引き込まれる。それにより第１及び第２の支持部材１、１４は支点用針３を介して揺動し、探針１５を試料に押し当てる。試料又は検出系を走査することにより、探針１５は試料表面をなぞり、その表面形状に応じて、固定された支点のまわりに第１及び第２の支持部材１、１４が微小に回転運動し、差動トランス５のコア６の変位が検出され、このコア６の変位を探針１５の針先の変位に換算することにより試料の表面形状や段差が測定される。
【００１５】
ところで、この種の段差計においては、探針での力すなわち針圧の測定は次のようにして行なわれる。針圧発生装置８のコイル１０に流す電流が０のときは、支点上の可動部の重量バランスにより、探針１５は上に上がった状態になり、ストッパーに当たり静止している。針圧発生装置８のコイル１０に適当な電流を流すと、発生した力により探針１５は下がる。そのときの針先変位の時間変化を測定し、時間で２階微分して加速度を求めることにより、針圧を求めることができる。力と加速度の関係は、例えば数１０ ｍｇｆの領域では、電子天秤等で針先での力を測り、そのときのコイル電流と力の関係を得て、このコイル電流での加速度を測れば、力と加速度の関係が得られる。力と加速度は比例関係なので、比例定数が得られたことになり、任意の加速度の値からそれに対応する力の値を算出できる。すなわち、探針の針圧をＦ、探針の針先のｚ方向位置をｚ、支点のまわりの慣性モーメントをＩ、支点から針先までの距離をｒとし、支点回りの運動方程式を回転角が小さいとして変形すると次式が得られる。
Ｆ = Ｉ／ｒ２ ｄ２ｚ／ｄｔ２ 
即ち、力Ｆが働く場での、質量Ｉ／ｒ2の質点の運動とみなすことができる。つまり、前述の比例定数はＩ／ｒ2  を意味する。
【００１６】
探針の針圧ｙを縦軸に、針圧発生装置のコイルに流す電流ｘを横軸とし、ａ、ｂ、ｃを定数とするとき、コイルに流す電流ｘと探針の針圧ｙとの関係は、関数ｙ＝ａｘ２＋ｂｘ＋ｃで表され、表面形状の測定時に、探針の針圧ｙ１を設定した後、測定を開始させ、自動でｃの値を読み込み、ｙ１になるｘ＝ｘ１を上記関数から求め、ｘ１を出力して針圧発生装置のコイルに流す電流を制御するようにされ得る。
【発明の開示】
【発明が解決しようとする課題】
【００１７】
針圧発生装置のコイルに流す電流と力の関係の較正において、探針先の測定した加速度から探針での力を算出するが、支点部分の摩耗状況、接触状態によっては、支点での摩擦力が無視できない場合がある。その場合、上記方法により算出した力は、支点での動摩擦に起因する力を含んでいるために、本来のコイル電流による力が正しく算出されない。そのために力ｙとコイル電流ｘの正しい関係が得られず、正しい力を発生できない。
【００１８】
そこで、本発明は、支点部分の摩耗状況、接触状態の変化などにより生じ得る摩擦力を補償して０．０１ｍｇｆ台の精度で探針の力すなわち針圧を発生できる表面形状測定用触針式段差計の摩擦力補正方法を提供することを目的としている。
【課題を解決するための手段】
【００１９】
上記の目的を達成するために、本発明の第１の発明によれば、支点に揺動可能に取り付けられた支持体の一端に探針を取付け、この一端に隣接して探針の垂直方向変位を検出する変位センサの磁性体コアを取付け、支持体の他端には探針に針圧を加える針圧発生装置の磁性体コアを取付け、探針が捉えた試料の表面形状を支持体の支点回りの回転運動により変位センサで測定する触針式段差計の摩擦力補正方法において、
針圧発生装置を作動させて探針を下げる際の加速度を測定して下降時の力を求め、探針が下降の後に下部ストッパー等で跳ね返り上昇する際の加速度を測定して上昇時の力を求め、表面形状を実際に測定する際に、針圧発生装置に流す電流を、下降時の力と上昇時の力と和の半分の力が探針にかかるように制御して摩擦力の影響を除去することを特徴としている。
【００２０】
本発明の第１の発明による方法においては、測定して得た下降時の力と上昇時の力と和の半分の力を用いて、針圧発生装置のコイルに流す電流ｘと力ｙの関係式ｙ＝ａｘ２＋ｂｘ＋ｃを用いて設定した力に対応する針圧発生装置のコイルに流す電流ｘを算出する。
【００２１】
本発明の第２の発明によれば、支点に揺動可能に取り付けられた支持体の一端に探針を取付け、この一端に隣接して探針の垂直方向変位を検出する変位センサの磁性体コアを取付け、支持体の他端には探針に針圧を加える針圧発生装置の磁性体コアを取付け、探針が捉えた試料の表面形状を支持体の支点回りの回転運動により変位センサで測定する触針式段差計の摩擦力補正方法において、
探針の下降時の速度を比較的速くして、探針を下げる際の加速度を測定して下降時の力を求め、下降後に探針が下部ストッパー等で跳ね返り上昇する際の加速度を測定して上昇時の力を求め、表面形状を実際に測定する際に、針圧発生装置に流す電流を、下降時の力と上昇時の力との差の半分の力を差し引いて、針圧発生装置に流す電流と探針にかかる力との正しい関係を求め、その関係から設定したい力に対応するコイル電流を算出することを特徴としている。
【発明の効果】
【００２２】
本発明の第１及び第２の発明においては、支点部分での摩擦に起因する力を除いて、本来のコイル電流による力のみを検出できるので、針圧発生装置のコイルに流す電流と力との間の正しい関係が得られ、それにより探針に対して正しい大きさの力を発生できるようになる。その結果、支点部に発生する動摩擦力や静止摩擦力の影響が取り除かれ０．０１ｍｇｆ程度までの小さい力での表面形状測定が可能となる。
【００２３】
また、支点部分が摩耗して、そこでの摩擦力が大きくなっても、摩擦力を除いた本来の力を測定でき、表面形状測定時にその本来の力を出力できるので、支点部分の寿命が増すことができるようになる。
【００２４】
本発明の第２の発明においては、支点での摩擦に起因する力を測定できるので、支点部分が寿命に達したか判断できるようになる。
【発明を実施するための最良の形態】
【００２５】
以下、添付図面の図７、図８及び図９を参照して本発明の実施形態について説明する。なお、触針式段差計としては先に提案した図１〜図６に示す構成のものを使用する。
【００２６】
図７には、針圧発生装置のコイルに流す電流を０から２４．８ｍＡに変えた後の、探針先の位置ｚが時間と共にどのように変化するかを示している。上部ストッパーで止まっていた探針が、針圧発生装置のコイルに流す電流により発生した力によって下部ストッパーの位置まで降り、そこで眺ね返り、その後、振動する。通常は図４のＡの箇所でｚを時間で２階微分し加速度を求め、力を算出するが、その値は支点での摩擦に起因する力を含んでいる可能性がある。なお、このセンサヘッドでのｚの測定対象範囲が−０．１５ｍｍから＋０．１５ｍｍなので、その範囲で加速度及び力を求める。
【００２７】
図７のＡとＣでは摩擦力は上向き（ｚが正の方向）に働き、Ｂでは下向き（ｚが負の方向）に働く。よって、Ｂで測定された力をＦＢ、Ｃでの力をＦＣとすると、（ＦＢ＋ＦＣ）／２がコイル電流による本来の力であり、（ＦＣ−ＦＢ）／２が支点での摩擦に起因する力の大きさとなる。摩擦力は速さに依存するとは限らないが、ＢとＣでの探針の速さが同程度なので、ＢとＣでの測定値を扱うのが良い。空気抵抗による抗力も除去できる。
【００２８】
図７に示した例では、Ｂで求めた力は−０．１０４８ｍｇｆ、Ｃでは−０．０７６２ｍｇｆだった。これらから本来のコイル電流による力は上記の式を用いると、[（−０．１０４８）＋（−０．０７６２）]／２＝−０．０９０５ｍｇｆであり、また摩擦力の大きさは、[（−０．０７６２）−（−０．１０４８）]／２＝０．０１４３ｍｇｆとなる。なお、Ａから求めた力はＣでの値と同様である。
【００２９】
よって、Ａでの力の測定結果から、図８に示すようなコイル電流ｙと力ｘの関係ｙ＝ａｘ２＋ｂｘ＋ｃ（ａは負、ｂ、ｃは正の定数である）を求めようとすると、関係式のｃの値が本来より０．０１４３ｍｇｆ程度大きくなる。下向きの力の符号は負で、Ａで測定された力の絶対値は本来のものより小さく出るので、上記関係式ではｙが正の方向にずれ、ｃの値が大きい方にずれる。図８において本来の正しい関係を実線で、支点での摩擦の影響を受けて誤った関係を点線で示す。
【００３０】
この誤った関係式を用いると、例えば力ｙ１で試料の表面形状を測定したいとき、図８のように本来なら電流ｘ１を出力すべきところを、ｘ２が出力される。そのためコイル電流による力の絶対値はｙ１のそれよりも大きくなる。上記の例では、コイル電流による力の絶対値は０．０１４３ｍｇｆだけ大きくなる。図７のＡにおいては図８の点線の関係が成り立つが、任意の表面形状測定時にはその関係は当然成り立たない。よって、正しい力での表面形状測定ができなくなる。軟らかい試料の測定では０．０５ｍｇｆや０．０３ｍｇｆでの測定が必要とされ、上記関係式におけるｃの誤りは無視できなくなる。
【００３１】
（ＦＢ＋ＦＣ）／２がコイル電流による本来の力であり、それらの測定結果を用いて、コイル電流ｙと力ｘの関係式ｙ＝ａｘ２＋ｂｘ＋ｃを求め、その関係式を用いれば出力したい力を０．０１ｍｇｆの精度で正しく出せるようになる。それにより０．０１ｍｇｆ程度の、この種の段差計としては非常に小さい力での表面形状測定も可能になり、より軟らかい試料でのダメージのより小さい計測が可能になる。以下その根拠について説明する。
【００３２】
支点での摩擦力に起因する力を測定した例を図９に示す。探針の上下を繰り返し、支点部の摩耗、接触状態の変化による摩擦力の変化を見た例である。探針先の速さ｜ｄｚ／ｄｔ｜が３〜６×１０−４ｍ／ｓと約６×１０−３ｍ／ｓでの動摩擦力である。約６×１０−３ｍ／ｓでの摩擦力（図９に●で示す）は、図７に示すように上部ストッパーから下部ストッパーに探針を下ろし、跳ね返った後のＢ、Ｃでの力から算出した値である。
【００３３】
支点上の可動部の重心が支点より下にあるとき、針圧発生装置のコイル電流により探針を下げる力を発生させ、支点上で可動部をバランスさせると、可動部は実体振り子となり振動する。つまり、図７でｚが正のときには負の方向に、ｚが負のときには正の方向に力が働き、ｚ＝０付近を中心に探針先位置ｚが振動する。その振幅は支点での摩擦や空気抵抗により減衰し、徐々に小さくなる。振幅が小さくなり、ｚ＝０を横切る際の｜ｄｚ／ｄｔ｜が３〜６×１０−４ｍ／ｓでの結果を図９に■で示す。前述と同様に探針の上昇時と下降時の力の差の半分の値である。このとき測定誤差があり、摩擦力測定値の上限を■で示した。図７の状態から、そのような｜ｄｚ／ｄｔ｜の値になるまで１分以上かかっている。そのときの振幅は約２００μｍである。支点上の可動部に付けるバランス用重りの位置、質量の調整によって、その振動周期を変えることができる。
【００３４】
実際の表面形状測定時の探針と試料間の相対的速度が１×１０−４ｍ／ｓ程度では、探針先の角度が６０度程度であるので、試料表面の凹凸により探針が上下する速さは速くても１×１０−４ｍ／ｓ程度である。それに対応するのは図９に■で示すものであり、よって、図９からそのような表面形状測定時の支点部の摩擦に起因する力は０．００５ｍｇｆ以下と小さいことが分かる。従って、０．０１ｍｇｆ程度での表面形状測定が可能であると言える。
【００３５】
コイル電流と力の関係を測定する場合は、短時間で測定可能な図７のＢ、Ｃでの測定が望ましい。しかし、そのような測定では図９に●で示すように摩擦力が０．０１５ｍｇｆと大きい場合がある。なお、｜ｄｚ／ｄｔ｜の違いによる摩擦力の違いの物理的意味については不明である。図９に示す実験では、静止摩擦力は０．０１ｍｇｆ以下と十分に小さかった。
【００３６】
針圧発生装置のコイル電流と力の関係を短時間で得るために、摩擦力を速さ｜ｄｚ／ｄｔ｜が約６×１０−３ｍ／ｓのような大きい値で測定し、その摩擦力を差し引いてコイル電流と力の正しい関係を得て、その関係から設定したい力に対応するコイル電流を算出し出力すれば、正しい力を発生でき、探針と試料間の相対的速度が１×１０−４ｍ／ｓ程度の表面形状測定では｜ｄｚ／ｄｔ｜が大きくても１×１０−４ｍ／ｓ程度であり、そのときには支点部に発生する動摩擦力の影響は探針位置での力に換算して０．００５ｍｇｆ以下と小さく、静止摩擦力も０．０１ｍｇｆ以下と小さいので、０．０１ｍｇｆ程度までの小さい力での表面形状測定が可能となる。
【００３７】
ところで、図示実施形態では、第１の支持部材を二箇所で支点支持している構造の装置に基いて説明してきたが、当然一つの支点で揺動自在に支持する構造の装置でも同様に実施することができる。また、本発明は、第１の支持部材の両端に設けられる変位センサの測定子と針圧発生装置のコアとの位置関係を逆にした触針式表面形状測定器にも同等に適用できる。
【図面の簡単な説明】
【００３８】
【図１】本発明を実施している触針式表面形状測定器の構成を概略図。
【図２】図１における触針式表面形状測定器の要部を下から見た概略線図。
【図３】図１における触針式表面形状測定器のホルダー部分の構成を示す拡大部分断面図。
【図４】図１における触針式表面形状測定器のホルダー部分の構成を示すＡ−Ｂ線に沿った拡大部分断面図。
【図５】図１における触針式表面形状測定器の支点部の構造を示す拡大断面図。
【図６】触針式表面形状測定器を枠体に組み込んだ構造を示す概略斜視図。
【図７】針圧発生装置のコイルに流す電流を０から２４．８ｍＡに変えたときの、探針先の位置ｚが時間と共にどのように変化するかを示すグラフ。
【図８】針圧発生装置のコイルに流す電流と力の関係を示すグラフ。
【図９】探針の上下回数と摩擦力との関係を示す測定例。
【符号の説明】
【００３９】
１：第１の支持部材
２：支点用針取付け部材
３：支点用針
４：支点受け部材
５：変位センサ
６：測定子すなわちコア
７：コイル
８：針圧発生装置
９：針圧発生装置８のコア
１０：針圧発生装置８のコイル
１１：磁石
１２：ホルダー
１３：長手方向溝
１４：第２の支持部材
１５：探針
１６：高透磁率部材
１７：ガイド突起
１８：板状部材
１９：枠体
１９ａ：下部枠部材
【図１】
2007051875.tif 000003
【図２】
2007051875.tif 000004
【図３】
2007051875.tif 000005
【図４】
2007051875.tif 000006
【図５】
2007051875.tif 000007
【図６】
2007051875.tif 000008
【図７】
2007051875.tif 000009
【図８】
2007051875.tif 000010
【図９】
2007051875.tif 000011